(57)【要約】      （修正有）【課題】乳児を安定して抱っこでき、抱っこの状態で眠った乳児を寝具等に移す際、乳児を起こすことなく寝具に移すのを助けるヘッドパッド付き乳児用衣服を提供する。【解決手段】上衣およびつなぎの乳児用衣服において、後ろ身頃側にヘッドパッド４を設けることを特徴とする。抱っこや、抱っこの状態で寝かしつけをする時にはヘッドパッド４を広げ乳児の頭部とそれを支える保育者の腕の間に挟んで使用する。ヘッドパッドがあることにより安定して抱っこをすることができ、乳児が眠った後そのまま寝具等へ移すことで保育者の腕を抜く振動や摩擦が乳児に伝わるのを軽減し、また乳児が感じる抱っこ時と寝具の温度差を小さくするなど目を覚ましにくくする。また不要な時はヘッドパッド４を後ろ身頃側に倒しておけば通常の衣服として使用できる。【選択図】図１
0003208979.tif 000002
【実用新案登録請求の範囲】
【請求項１】
上衣及びつなぎの乳児用衣服本体１とヘッドパッド４からなり、ヘッドパッド４が乳児用衣服１と一体的に取り付けられていることを特徴とする、乳児を安定して抱っこでき、抱っこの状態で眠った乳児を起こすことなく寝具等に移すのを助けるヘッドパッド付き乳児用衣服。
【考案の詳細な説明】
【技術分野】
【０００１】  本考案は、乳児を安定して抱っこすることができ、抱っこの状態で眠った乳児を起こすことなく寝具等に移すのを助けるヘッドパッド付き乳児用衣服に関するものである。
【背景技術】
【０００２】  乳児、特に首の座っていない乳児を抱っこするのは頭部がぐらつき非常に不安定である。【０００３】  また抱っこの状態で眠った乳児を寝具等に移す際、乳児が目を覚ましてしまう事が多い。その大きな要因の一つとして寝具等に乳児を乗せた際、抱っこをしている保育者の乳児を支える腕、特に乳児の頭部を支える腕を抜く時の振動や摩擦が乳児に伝わることが挙げられる。また抱っこの状態から寝具等に移された際に乳児が感じる温度の変化も大きな要因の一つである。【０００４】  従来の乳児用衣服には、このような抱っこ時の不安定さや寝かしつけ時の問題対策を目的とした機能を備えた物はなかった。そのため抱っこをする際は乳児の頭部がぐらつかないよう注意を払い、また、あらかじめ乳児の後頭部に枕や折りたたんだタオル等をあてがい乳児が眠った後枕やタオル等ごと寝具に移すことで保育者の腕を抜く振動や摩擦を乳児に伝えにくくしたり、抱っこの状態と寝具等に移した際に乳児が温度差を感じにくいようにしたりと個々で工夫している。【０００５】  本考案と形状が類似したもので乳児の頭部の汗取りを目的としたものは存在したが（特許文献１）本考案はあくまでも安定して抱っこができ寝かしつけの負担を軽減するものであり、抱っこや寝かしつけの過程として乳児の頭部とそれを支える腕部からの汗を吸水できるという副産的なメリットはあるが、それを目的としたものではない。【０００６】  また、抱っこをして寝かしつける時に使用し入眠したらそのまま枕として使用可能な乳児寝かしつけ用枕（特許文献２）や枕付きおくるみ（特許文献３）は本考案の目的と一部共通するが、本考案は抱っこする時はほぼ必ず着用している衣服であり別途他に物を用意する必要がないことが大きな特徴の１つであることから、他の考案とは形状も利便性も異なる。
【先行技術文献】
【特許文献】
【０００７】
【特許文献１】登録実用新案公報第３１８４９５０号
【特許文献２】登録実用新案公報第３１３４７８０号
【特許文献３】登録実用新案公報第３０８１４８８号
【考案の概要】
【考案が解決しようとする課題】
【０００８】  乳児の育児において抱っこの状態というのは大きな割合を占める。乳児を抱っこしたまま移動をしたり家事をすることも少なくない。特に首の座っていない乳児を抱っこする時は首と頭を同時に支えなければならず、非常に行動しづらく神経を遣う。
また抱っこの状態で眠った乳児を寝具等に移す際、乳児が目を覚ましてしまうと再度抱っこをするなどして寝かしつけをしなければならい。それにより保育者の寝不足や疲労、ストレスにつながったり、長時間の抱っこにより手首に負担がかかり、腱鞘炎になる保育者も少なくない。【０００９】  寝かしつけの対策として抱っこをする際にあらかじめ枕やタオル等をあてがい、枕やタオル等ごと寝具に移す方法は、乳児の後頭部を支える腕を抜く振動や摩擦が伝わるのを軽減したり乳児が後頭部に感じる抱っこと寝具等の温度差を小さくするのには有効であるが、枕やタオル等を別途用意する必要があるので手間がかかり、また枕やタオルは外出時荷物になり不便である。
本考案は、以上のような欠点を補うためになされたものである。
【課題を解決するための手段】
【００１０】  上衣およびつなぎの乳児用衣服において、後ろ身頃側にヘッドパッドを設けることを特徴とする。乳児を抱っこする時にはヘッドパッドを乳児の頭部とそれを支える保育者の腕の間に挟んで使用する。その状態で乳児が眠った後、寝具等に移す際は枕の様に赤ちゃんの頭部の下に敷かれた状態となる。
またお座りの状態など不要な時はヘッドパッドを後ろ身頃側に倒しておけば通常の衣服として使用できる。
【考案の効果】
【００１１】  乳児を抱っこする際に、ヘッドパッドを乳児の頭部とそれを支える保育者の腕の間に挟んで使用することで、乳児の頚部と頭部を一度に支えることができ、ヘッドパッド無しで直接支えるのに比べぐらつきが少なく安定する。
また抱っこの状態で眠った後でそのまま寝具等に移すことで、乳児の頭部を支える保育者の腕を抜く時に乳児に伝わる振動や摩擦が軽減される。
さらに寝具等に移された際、少なくとも乳児が後頭部に感じる抱っこの状態と寝具等との温度差もヘッドパッドが間にあることにより小さくなる。【００１２】  以上の理由により、ヘッドパッドがあることで安定して乳児を抱っこでき、その状態で眠った乳児を寝具等に移す際乳児が目を覚ます可能性が低くなる。
スムーズに寝かしつけができることにより乳児のお世話の負担を減らすことができる。ヘッドパッドが衣服と一体化していることで、家の中でも外出時でも必要な時にいつでも使用できるため、同様の目的で枕やタオル等を使用するのに比べて非常に手軽である。
【図面の簡単な説明】
【００１３】
【図１】本考案の前身頃とヘッドパッドを広げた状態の正面図である。
【図２】本考案のヘッドパッド不要時の折りたたんだ状態を示す背面図である。
【図３】本考案の横抱き抱っこ時使用の状態を示す図である。
【図４】本考案の縦抱き抱っこ時使用の状態を示す図である。
【図５】本考案のヘッドパッドを雲状の形にした場合の正面図である。
【図６】本考案のヘッドパッドに動物の耳の形をつけた場合の正面図である。
【考案を実施するための形態】
【００１４】  以下、本考案を実施するための形態を図面に基づいて説明する。図１は本考案の正面図で、ヘッドパッド４を広げた状態である。
【００１５】  ヘッドパッド４の大きさは、広げて乳児の頭部にあてがった時に、頚部から頭部を十分に覆う事が出来るものが好ましい。
ただしヘッドパッド４が大きすぎると、乳児の動きの妨げとなったり寝がえりをした時に乳児の顔にかかって呼吸の妨げとなったりする危険があるので、横幅は肩幅以内、縦の長さは広げて乳児の頭部にあてがった時に頭頂部より数ｃｍ程度余裕をもった程度に収めるのが適当である。
【００１６】  ヘッドパッド４は通常の布地より厚めとするが、不要時は図２のように通常の襟と同様に首元で折り曲げ背中側へ倒して使用することもあるため、ヘッドパッド４を倒した状態で乳児が仰向けに寝た際、ヘッドパッド４が邪魔となって不自然な姿勢になったりお座りをした時に重みで後ろに引っ張られたりすることのないよう適度な厚さとする。厚みをもたせることには、抱っこをした時に頭部が安定し寝具等に移す際の振動や摩擦を伝えにくくする他、腕を抜く際に布地がよれてうまく引き抜けなくなることを防ぐ意味もある。
【００１７】  ヘッドパッド４と後ろ身頃３は縫合してもよいし、面ファスナーやボタンを用いて接合してもよい。
【００１８】  ヘッドパッド４の布地は何枚かの同一または異なる布地を重ね合わせて縫合した物でも良いし、例えばクッション性のあるスポンジや綿などを布地で包んで作成してもよい。
【００１９】  ヘッドパッド４は汗やよだれ、涙、ミルクの吐きもどし等がつくことが考えられるので、このようなものがついても快適さを保てるよう、特に乳児に直接触れる表面部分は吸水性にすぐれタオル地やガーゼ等の肌触りのよいものが好ましい。
【００２０】  乳児用衣服はこまめに洗濯をすることが予想されるので、洗濯を重ねてもヘッドパッド４がよれてくちゃくちゃになってしまったり型崩れしたりしにくい布地選び・縫合方法をする必要がある。
【００２１】  抱っこや、抱っこの状態で寝かしつけをする時には、図３、図４が示すようにヘッドパッド４を広げた状態で乳児の頭部とそれを支える保育者の腕の間に挟んで使用する。赤ちゃんが眠った後、ヘッドパッド４を広げたまま乳児をそっと寝具等に置き、主に乳児の下半身を支える片方の腕と、ヘッドパッド４の下にある頭部を支えるもう片方の腕をそっと抜く。
【００２２】  上記のようなヘッドパッド４の大きさ・厚さを満たせば、ヘッドパッド４の形は図１〜図４にあるような楕円形の他、例えば図５のような雲状の形や図６のように動物の頭部を模した形状など様々なデザインが考えられる。
【符号の説明】
【００２３】  １          乳児用衣服本体
２          前身頃
３          後ろ身頃
４          ヘッドパッド
５          留め具
【図１】
0003208979.tif 000003
【図２】
0003208979.tif 000004
【図３】
0003208979.tif 000005
【図４】
0003208979.tif 000006
【図５】
0003208979.tif 000007
【図６】
0003208979.tif 000008